(57)【要約】【課題】半身浴ステップ付き浴槽において、半身浴をする場合でもまた、入浴姿勢の向きを変えて全身浴をする場合でもリンパッサージを効果的に行うことができる浴槽装置を提供する。【解決手段】浴槽と、該浴槽の長手方向に複数配設され浴水、気泡入り浴水及び気泡のいずれかを噴出させる噴出口と、該噴出口からの浴水、気泡入り浴水及び気泡のいずれかの噴出のさせ方を制御する制御部とを備え、前記制御部の制御により入浴者の足先側から頭側に順番に前記噴出口からの浴水、気泡入り浴水及び気泡のいずれかを周期的に複数回繰り返して噴出させる浴槽装置において、入浴者の足先の位置を検知する検知手段を設けて、該検知手段により入浴者の姿勢を検知した結果に基づき、前記制御部を制御する。【選択図】  図３
2007209487.tif 000002
【特許請求の範囲】
【請求項１】
浴槽と、該浴槽の長手方向に複数配設され浴水、気泡入り浴水及び気泡のいずれかを噴出させるノズルと、該ノズルからの浴水、気泡入り浴水及び気泡のいずれかの噴出のさせ方を制御する制御部とを備え、前記制御部の制御により入浴者の足先側から頭側に順番に前記ノズルからの浴水、気泡入り浴水及び気泡のいずれかを周期的に複数回繰り返して噴出させる浴槽装置において、入浴者の足先の位置を検知する検知手段を設けて、該検知手段により入浴者の姿勢を検知した結果に基づき、前記制御部を制御することを特徴とする浴槽装置。
【請求項２】
前記検知手段は、浴槽内に水位センサ及び荷重センサを備えることを特徴とする請求項１記載の浴槽装置。
【請求項３】
前記制御部は、周期的に複数回繰り返して噴出する各周期の最初において、
前記検知手段の検知結果を基に前記制御部を制御することを特徴とする請求項１及び２のいずれかに記載の浴槽装置。
【請求項４】
浴槽と、該浴槽の長手方向に複数配設され浴水、気泡入り浴水及び気泡のいずれかを噴出させるノズルと、該ノズルからの浴水、気泡入り浴水及び気泡のいずれかの噴出のさせ方を制御する制御部とを備え、前記制御部の制御により入浴者の足先側から頭側に順番に前記ノズルからの浴水、気泡入り浴水及び気泡のいずれかを周期的に複数回繰り返して噴出させる浴槽装置において、制御部の制御手段を入浴者の入浴姿勢に応じて選択可能な入力手段を設けたことを特徴とする浴槽装置。
【発明の詳細な説明】
【技術分野】
【０００１】
本発明は、入浴しながらリンパマッサージができる浴槽装置に関する。
【背景技術】
【０００２】
長い時間立ち続けてむくみが生じた場合等には、リンパ液の流れに沿って足の先端から心臓に近い方へと向けてマッサージを行うリンパマッサージが効果的とされている。
【０００３】
リンパ液は、老廃物を運ぶ働きがあるものの、心臓がポンプの役割をして流れる血液と異なり、筋肉が動かないと流れが止まってしまう。そのため、長い時間立ち続けていたりすると、リンパ液が流れず老廃物がたまり、足の甲、足首、ふくらはぎ等が膨張する。リンパマッサージは、このリンパ液の流れを助けるものと言われている。
【０００４】
近年、入浴の際に、手足の末端から付け根に向けて水流を発生させてリンパマッサージができ、また、浴槽の一端部側に入浴者の足先側を位置させ且つ他端部側に入浴者の頭部側を位置させるという一般的な浴槽への入浴姿勢を取るだけで、簡単な構成で、手足の先端から心臓の方に向けてのリンパ液のスムーズな流れを促進するようなリンパッサージを効果的に行うことができる浴槽装置が提案されている。
【０００５】
そして、このリンパマッサージ機能は、浴槽の側壁部の一部に半身浴ステップが設けてあり、浴槽内に入った入浴者が半身浴ステップに腰掛けて半身浴ができるように、半身浴ステップを有する浴槽にも適用可能とされている（例えば、特許文献１参照。）。
【０００６】
この半身浴ステップ付き浴槽では、ステップに腰掛けることで、半身浴をすることができる。
【０００７】
半身浴は全身浴に比べ水圧が掛からないので身体の負担が少なく、長い時間ゆっくりと入浴することができるというメリットがある。
【０００８】
また、入浴者が入浴姿勢の向きを変えることで、全身浴にも対応できる。この場合、足をステップに足をのせてリラックスして全身浴することもできるし、膝を曲げて足をステップ手前の浴槽底部に置くこともできる。
【特許文献１】特開２００５−３４２４９１号公報（第１３頁、図１１）
【発明の開示】
【発明が解決しようとする課題】
【０００９】
上述した浴槽によれば、入浴者が半身浴ステップに腰掛けて半身浴をしながら、ふくらはぎ対応ノズル、大腿部対応ノズル、腰背中対応ノズルの順番で吐水することにより、全身に対してリンパマッサージをすることができる。
【００１０】
しかしながら、入浴者が斯かる半身浴ステップ付き浴槽で、ステップに腰掛けずに浴槽底面に腰を下ろして、全身浴を行う場合には、その全身マッサージ開始起動入力を行うと、ふくらはぎ対応ノズルで大腿部をマッサージし、大腿部対応ノズルで膝裏をマッサージした後、腰背中対応ノズルで足先をマッサージすることになり、リンパ液の流れに反したマッサージとなり有効なリンパマッサージを行うことができない。そのため、半身浴のみでしかリンパマッサージをすることができず、使い勝手が良いとは言えない。また、入浴者が、全身浴の場合に、誤ってリンパマッサージ開始入力を行うことがあり得、リンパ液の流れを悪くするおそれもある。この問題は、入浴者が途中で入浴姿勢を全身浴から半身浴へ、或いはその逆へと変更した場合にも生じる。
【００１１】
また、例え全身浴時にもリンパ液の流れに沿ったマッサージをすることができたとしても、膝を曲げて足をステップ上に置かない場合、ステップ奥に位置する腰背中対応ノズルは、吐水しても入浴者の足まで届かず、無意味に吐水するだけでなく、腰背中対応ノズル吐水中、入浴者にはリンパマッサージが途切れることとなり、効率的なリンパマッサージを受けられない。
【００１２】
本発明は、上述した事情を考慮してなされたもので、半身浴ステップ付き浴槽において、半身浴をする場合でもまた、入浴姿勢の向きを変えて全身浴をする場合でもリンパマッサージを効果的に行うことができる浴槽装置を提供することを目的とするものである。
【００１３】
本発明の他の目的は、半身浴ステップ付き浴槽において、入浴者が足をステップ上に置かない場合でも、途中で途切れることなく効率的にリンパマッサージを行うことができる浴槽装置を提供することにある。
【００１４】
本発明のさらに他の目的は、入浴者がマッサージの最中に姿勢を変えても、それに追従して常にリンパ液の流れに沿ってリンパマッサージが行える浴槽装置を提供することにある。
【課題を解決するための手段】
【００１５】
本発明に係る浴槽装置は、上述した課題を解決するために、請求項１に記載したように、浴槽と、該浴槽の長手方向に複数配設され浴水、気泡入り浴水及び気泡のいずれかを噴出させるノズルと、該ノズルからの浴水、気泡入り浴水及び気泡のいずれかの噴出のさせ方を制御する制御部とを備え、前記制御部の制御により入浴者の足先側から頭側に順番に前記ノズルからの浴水、気泡入り浴水及び気泡のいずれかを周期的に複数回繰り返して噴出させる浴槽装置において、入浴者の足先の位置を検知する検知手段を設けて、該検知手段により入浴者の姿勢を検知した結果に基づき、前記制御部を制御するものである。
【００１６】
この浴槽装置によれば、入浴者が浴槽の前後のどちらに足を向けているのかを検知して、足の方から水流を発生させることによって、最適なリンパマッサージを行うことができる。
【００１７】
前記検知手段は、好適には、請求項２に記載したように、浴槽内に水位センサ及び荷重センサを備える構成とすることができる。斯かる構成によれば、水位センサにより検知された水圧と、荷重センサにより検知された入浴者の荷重とからその差を計算することにより、足の位置を判別することができる。
【００１８】
また、前記制御部は、好適には、請求項３に記載したように、周期的に複数回繰り返して噴出する各周期の最初において、前記検知手段の検知結果を基に前記制御部を制御することが望ましい。このように、各周期が開始される際に、足位置検知を行うことによって、リンパマッサージ中に姿勢を変えた場合においても、毎回足先から順にリンパマッサージを行うことができ、その結果、効率的なリンパマッサージを行うことができる。
【００１９】
そして、上述した課題を解決するために、請求項４に係る浴槽装置は、浴槽と、該浴槽の長手方向に複数配設され浴水、気泡入り浴水及び気泡のいずれかを噴出させるノズルと、該ノズルからの浴水、気泡入り浴水及び気泡のいずれかの噴出のさせ方を制御する制御部とを備え、前記制御部の制御により入浴者の足先側から頭側に順番に前記ノズルからの浴水、気泡入り浴水及び気泡のいずれかを周期的に複数回繰り返して噴出させる浴槽装置において、制御部の制御手段を入浴者の入浴姿勢に応じて選択可能な入力手段を設けたものである。
【００２０】
これにより、例えば、入浴者が浴槽の前後のどちらに足を向けているのか、又は半身浴ステップ上に足を置くかをタッチパネル等で入力することによって、どちらの向きに入浴しても必要な部分のみ足のほうから水流を発生させることができ、最適なリンパマッサージを行うことができる。
【発明の効果】
【００２１】
本発明に係る浴槽装置によれば、半身浴ステップ付き浴槽において、半身浴をする場合でもまた、入浴姿勢の向きを変えて全身浴をする場合でもリンパマッサージを効果的に行うことができる。
【００２２】
本発明は、半身浴ステップ付き浴槽において、入浴者が足をステップ上に置かない場合でも、途中で途切れることなく効率的にリンパマッサージが可能となる効果が得られる。
【００２３】
また、本発明は、入浴者がマッサージの最中に姿勢を変えても、それに追従して常にリンパの流れに沿ってリンパマッサージが行える効果がある。
【発明を実施するための最良の形態】
【００２４】
本発明に係る浴槽装置の第１の実施形態について、添付図面を参照して説明する。図１は、本実施形態に係る浴槽装置１の長手方向縦断面を模式的に示す図であり、図２は、同浴槽装置１の平面を模式的に示す図である。
【００２５】
浴槽１０は、入浴者Ｐが全身浴を享受するときに腰を下ろせる底面１２の四周から側面４が上方に立ち上げられ、その上端は外方に拡開してリム１１が形成される。そして、浴槽１０の長手方向の一端に、底面１２より略１７０〜１８０ｍｍ高く、入浴者Ｐが半身浴を享受するときに腰掛けることができる半身浴ステップ１３が設けられる。この半身浴ステップ１３は、全身浴時の足置きとしても利用される。
【００２６】
浴槽１０の半身浴ステップ１３には、浴水、気泡入り浴水、又は気泡を半身浴ステップ１３から前斜め上方に向けて傾斜させて噴出させるステップノズル２１が、浴槽１０短手方向に平行に、２１ａ，２１ｂ，２１ｃ…のように複数設けられる。
【００２７】
このステップノズル２１は、浴槽１０の長手方向に沿って噴出方向を可変とするスイング機構（図示せず）を備える。このスイング機構は、例えば特開２００５−３４２５０７号公報に開示されているようなものである。
【００２８】
このスイング機構により、ステップノズル２１は、半身浴時には、入浴者Ｐの臀部から腰、背中の順でスイングしながら噴出し、全身浴時に入浴者Ｐが半身浴ステップ１３上に足を置いた場合には、足先からかかと部に向かって方向を変えながら噴出を行う。
【００２９】
そして、底面１２の長手方向中央には、浴水、気泡入り浴水、又は気泡を底面２中央から上方に向けて噴出させる底面中央ノズル２２が、浴槽１０短手方向に平行に、２２ａ，２２ｂ，２２ｃ…のように複数設けられる。
【００３０】
底面中央ノズル２２もスイング機構を備え、このスイング機構により、底面中央ノズル２２は、半身浴時においても、また全身浴時においても、入浴者Ｐの足首、ふくらはぎ、膝裏、大腿部に向かって順にスイングしながら噴出する。
【００３１】
また、底面１２の長手方向半身浴ステップ１３と反対側の端部には、浴水、気泡入り浴水、又は気泡を底面２端部から前斜め上方に向けて傾斜させて上方に向けて噴出させる底面端部ノズル２３が、浴槽１０短手方向に平行に、２３ａ，２３ｂ，２３ｃ…のように複数設けられる。
【００３２】
底面端部ノズル２３もスイング機構を備え、このスイング機構により、底面端部ノズル２３は、全身浴時には、入浴者Ｐの臀部から腰、背中の順でスイングしながら噴出し、半身浴時には、足先からかかと部に向かって方向を変えながら噴出を行う。
【００３３】
浴槽１０は、その側面４に、浴槽１０内の浴水を吸い込むための吸い込み口２４が設けられる。この吸い込み口２４は、水流管２５を介して循環ポンプ２６に接続された後、分岐水流管２７，２８，２９に分岐し、それぞれステップノズル２１、底面中央ノズル２２、底面端部ノズル２３に接続される。
【００３４】
分岐水流管２７，２８，２９には、電磁弁３０，３１，３２が設けられ、制御部３３の制御により、ステップノズル２１，底面中央ノズル２２、底面端部ノズル２３へ浴水を供給し、或いは供給を停止する。
【００３５】
また、浴槽装置１は、エアポンプ３４を備え、その出口側に接続された空気管３５は、分岐空気管３６，３７，３８に分岐し、それぞれステップノズル２１，底面中央ノズル２２、底面端部ノズル２３に接続される。
【００３６】
分岐空気管３６，３７，３８には、電磁弁３９，４０，４１が設けられ、制御部３３の制御により、ステップノズル２１，底面中央ノズル２２、底面端部ノズル２３へ気泡を供給し、或いは供給を停止する。
【００３７】
ここで、循環ポンプ２６のみを作動させれば、ノズル２１，２２，２３に浴水のみを供給し、エアポンプ３４のみを作動させればノズル２１，２２，２３に気泡のみを供給し、両者を作動させれば気泡入り浴水を供給することができる。
【００３８】
浴槽１０にはまた、その側面１４には水位センサ４２が、底面１２の、全身浴時において入浴者Ｐの臀部が位置する近傍、及び半身浴ステップ１３の、半身浴時において入浴者Ｐの臀部が位置する近傍には、それぞれ荷重センサ４３，４４が設けられる。
【００３９】
これらセンサ４２，４３，４４により得られた情報は、信号線５０，５１，５２を介して制御部３３に送られ、制御部３３は、水位センサ４２からの情報により、浴槽１０の底面１２にかかる浴水の重量を計算し、荷重センサ４３，４４からの情報により、入浴者Ｐの臀部、又は足の存在を判断する。
【００４０】
これにより、入浴者Ｐが半身浴か全身浴か、或いは全身浴時において足が半身浴ステップ１３に置かれているかを判断することができる。
【００４１】
本実施の形態に係る浴槽装置１は上記のように構成されており、以下その動作について説明する。
【００４２】
入浴者Ｐが、マッサージモードを起動させると、水位センサ４２が浴槽の水位を検知するとともに、半身浴ステップ１３上に設けた荷重センサ４４でステップ上の荷重を検知し、底面１２に設けられた荷重センサ４３が底面１２にかかる荷重を検知する。
【００４３】
ここで、水位センサ４２が検知した値から算出される浴槽底面１２にかかる荷重Ｗ１と荷重センサ４３が検知した荷重Ｗ２とが同じであれば、制御部３３は、浴槽１０内に入浴者Ｐがいないと判断し、ノズル２１，２２，２３からの噴出を開始しない。
【００４４】
荷重Ｗ２が荷重Ｗ１より大きく、且つ荷重センサ４４が検知した半身浴ステップ上の荷重Ｗ３が荷重Ｗ２よりも大きい場合は、入浴者Ｐの臀部が半身浴ステップ１３上にあるものと判断し、半身浴時のマッサージを開始する。
【００４５】
この場合の動作を、図３を参照して説明する。まず底面端部ノズル２３から噴出される。底面端部ノズル２３は足先からかかと部に向かって方向を変えながら噴出を行う。
【００４６】
底面端部ノズル２３の吐水が終了する直前に、底面中央ノズル２２からの吐水が開始される。底面中央ノズル２２は、足首、ふくらはぎ、膝裏、大腿部に向かって順にスイングしながら吐水する。
【００４７】
そして、底面中央ノズル２２の噴出が終了する直前に、ステップノズル２１からの噴出が開始される。ステップノズル２１は、臀部から腰、背中の順でスイングしながら吐水する。
【００４８】
この底面端部ノズル２３、底面中央ノズル２２、及びステップノズル２１の一連の噴出を１サイクルとして、約７５秒継続させ、最大１５分、１０サイクル程度を行い、マッサージは終了する。
【００４９】
ここで、制御部３３は、各サイクルの開始時に毎回水位センサ４２と荷重センサ４３，４４との検知結果を読み込んで、臀部の位置、足の位置を検知する。これにより、入浴者Ｐが姿勢を変えた場合においても、それに対応してステップノズル２１、底面中央ノズル２２、及び底面端部ノズル２３の噴出順序を変更して、適切なリンパマッサージをすることができる。
【００５０】
なお、ここでは、入浴者Ｐが入浴姿勢を変える頻度が大きい半身浴ステップ付き浴槽の実施例について説明したが、半身浴ステップの付いていない通常の浴槽においても、荷重センサを浴槽底面に設けることで、入浴者Ｐの入浴向きに応じた最適なリンパマッサージができるようにできることはいうまでもない。
【００５１】
他方、荷重Ｗ２が荷重Ｗ１より大きく、且つ荷重センサ４４が検知した半身浴ステップ上の荷重Ｗ３が荷重Ｗ２よりも小さい場合は、入浴者Ｐの臀部が浴槽底面１２にあり、足が半身浴ステップ１３上にあるものと判断し、全身浴時のマッサージを開始する。
【００５２】
この場合の動作を、図４を参照して説明する。まずステップノズル２１から噴出される。ステップノズル２１は足先からかかと部に向かって方向を変えながら噴出を行い、次に、ステップノズル２１の噴出が終了する直前に、底面中央ノズル２２から噴出を開始する。底面中央ノズル２２は足首、ふくらはぎ、膝裏、大腿部に向かって順にスイングしながら噴出する。
【００５３】
そして、底面中央ノズル２２の噴出が終了する直前に、底面端部ノズル２３から噴出を開始する。底面端部ノズル２３は、臀部から腰、背中の順でスイングしながら噴出する。
【００５４】
このステップノズル２１、底面中央ノズル２２、及び底面端部ノズル２３の一連の噴出を１サイクルとして、約７５秒継続させ、最大１５分、１０サイクル程度を行い、マッサージは終了する。
【００５５】
ここで、制御部３３は、各サイクルの開始時に毎回水位センサ４２と荷重センサ４３，４４との検知結果を読み込んで、臀部の位置、足の位置を検知する。これにより、入浴者Ｐが姿勢を変えた場合においても、それに対応してノズル２１，２２，２３の噴出順序を変更して、適切なリンパマッサージをすることができる。
【００５６】
そのため、リンパマッサージ中に足をステップから下ろした場合等には、ステップノズル２１の噴出が省略され、効率的なリンパマッサージができる。
【００５７】
また、荷重Ｗ２が荷重Ｗ１より大きい場合であっても、水位センサ４２が検知した値から算出される半身浴ステップ１３にかかる荷重Ｗ４と荷重センサ４４が検知した荷重Ｗ２とが同じであれば、制御部３３は、入浴者Ｐは全身浴をしながらも、半身浴ステップ１３に足を置いていないと判断し、それに対応した全身浴時のマッサージを開始する。
【００５８】
この場合の動作を、図５を参照して説明する。この場合、ステップノズル２１からの噴出は省略され、底面中央ノズル２２の噴出からサイクルを開始する。底面中央ノズル２２は足首、ふくらはぎ、膝裏、大腿部に向かって順にスイングしながら噴出し、この噴出終了直前に、底面端部ノズル２３からの噴出を開始する。底面端部ノズル２３は、臀部から腰、背中の順でスイングしながら噴出する。
【００５９】
この底面中央ノズル２２、及び底面端部ノズル２３の一連の噴出を１サイクルとして、約７５秒継続させ、最大１５分、１０サイクル程度を行い、マッサージは終了する。
【００６０】
ここで、制御部３３は、各サイクルの開始時に毎回水位センサ４２と荷重センサ４３，４４との検知結果を読み込んで、臀部の位置、足の位置を検知する。これにより、例えば入浴者Ｐがマッサージの途中に、足を半身浴ステップ１３上に置いた場合には、それに対応してステップノズル２１の噴出もサイクルに追加され、適切なリンパマッサージをすることができる。
【００６１】
なお、上述した実施形態では、入浴者の臀部の位置、足の位置を自動的に検知して、最適なリンパマッサージをする場合を説明したが、これを手動で行う構成とすることも可能である。
【００６２】
図６に、このタイプの浴槽装置１のタッチパネル２の一例を示す。例えば、半身浴ステップ付き浴槽のタッチパネルには、入浴姿勢として半身浴ステップに腰を下ろした図１０１、半身浴ステップに腰を下ろさずに浴槽底面に腰を下ろして足をステップに載せた図１０２、半身浴ステップに腰を下ろさずに浴槽底面に腰を下ろして足をステップに載せない図１０３の３つを示して入浴者に選択させる。
【００６３】
入浴者が図１０３を選択した場合には、ステップ上の噴出口の噴出はせずに、浴槽底面の足先から順に噴出を開始する。
【００６４】
次に、本発明に係る浴槽装置の第２の実施形態について、図を参照して説明する。本実施の形態の浴槽装置１Ａは、図７及び図８に示すように、スイング噴出を行わず固定された方向にのみ噴出する固定ノズル４５を多数備える点で、第１の実施形態におけるスイング噴出を行うステップノズル２１、底面中央ノズル２２、及び底面端部ノズル２３を備える第１の実施形態におけるものと基本的に相違し、他の構成は第１の実施形態と実質的に同じであり、同じ符号を付して説明を省略する。
【００６５】
浴槽底面１２及び半身浴ステップ１３には、上方に向けて浴水、気泡入り浴水、又は気泡を噴出させる固定ノズル４５が、浴槽１０長手方向に平行に、４５ａ１，４５ａ２，４５ａ３…のように、第１の実施形態におけるものに比べて短い間隔で多数設けられる。また、浴槽１０短手方向に平行に、４５ａ１，４５ｂ１，４５ｃ１…のように複数設けられる。
【００６６】
本実施の形態に係る浴槽装置１Ａは上記のように構成されており、以下その動作について説明する。
【００６７】
入浴者Ｐが、マッサージモードを起動させると、水位センサ４２が浴槽の水位を検知するとともに、半身浴ステップ１３上に設けた荷重センサ４４でステップ上の荷重を検知し、底面１２に設けられた荷重センサ４３が底面１２にかかる荷重を検知する。
【００６８】
ここで、水位センサ４２が検知した値から算出される浴槽底面１２にかかる荷重Ｗ１と荷重センサ４３が検知した荷重Ｗ２とが同じであれば、制御部３３は、浴槽１０内に入浴者Ｐがいないと判断し、固定ノズル４５からの噴出を開始しない。
【００６９】
荷重Ｗ２が荷重Ｗ１より大きく、且つ荷重センサ４４が検知した半身浴ステップ上の荷重Ｗ３が荷重Ｗ２よりも大きい場合は、入浴者Ｐの臀部が半身浴ステップ１３上にあるものと判断し、半身浴時のマッサージを開始する。
【００７０】
この場合の動作を、図９を参照して説明する。まず、入浴者Ｐの足が位置する側の固定ノズル４５ａ１から噴出が開始される。そして、それが終わる直前には、次の固定ノズル４５ａ２が噴出を開始する。そうして、足先から太腿の方に向かって順番に固定ノズル４５の噴出がリレーされ、最後には、半身浴ステップ１３上の入浴者Ｐの臀部から腰、背中に位置する固定ノズル４５ａ１１の噴出が開始される。
【００７１】
この足先側の固定ノズル４５ａ１から背中側の固定ノズル４５ａ１１に至る一連の噴出を１サイクルとして、約７５秒継続させ、最大１５分、１０サイクル程度を行い、マッサージは終了する。
【００７２】
ここで、制御部３３は、各サイクルの開始時に毎回水位センサ４２と荷重センサ４３，４４との検知結果を読み込んで、臀部の位置、足の位置を検知する。これにより、例えば入浴者Ｐがマッサージの途中に、膝を曲げた場合には、それに対応して足先側の固定ノズル４５の噴出を中止して、噴出しても入浴者Ｐの足まで届かず、無意味に噴出することが防止され、また、入浴者Ｐにはリンパマッサージが途切れることなく、効率的なリンパマッサージを受けることができる。
【００７３】
なお、ここでは、入浴者Ｐが入浴姿勢を変える頻度が大きい半身浴ステップ付き浴槽の実施例について説明したが、半身浴ステップの付いていない通常の浴槽においても、荷重センサを浴槽底面に設けることで、入浴者Ｐの入浴向きに応じた最適なリンパマッサージができるようにできることはいうまでもない。
【００７４】
図１０は、全身浴時に足を半身浴ステップ１３上に置いた場合のリンパマッサージについて説明するものである。入浴者Ｐがこの姿勢にあることの検出方法は第１の実施形態の場合と同じであり、説明を省略する。
【００７５】
まず、半身浴ステップ１３側の固定ノズル４５ａ１１から噴出が開始され、それが終わる直前に一つ後方の固定ノズル４５ａ１０が噴出を開始する。そうして、半身浴ステップ１３側から反対側端部に向かって順番に噴出される。
【００７６】
この半身浴ステップ１３側の固定ノズル４５ａ１１から反対側端部の固定ノズル４５ａ１に至る一連の噴出を１サイクルとして、約７５秒継続させ、最大１５分、１０サイクル程度を行い、マッサージは終了する。
【００７７】
ここで、制御部３３は、各サイクルの開始時に毎回水位センサ４２と荷重センサ４３，４４との検知結果を読み込んで、臀部の位置、足の位置を検知する。これにより、例えば入浴者Ｐがマッサージの途中に、足を半身浴ステップ１３から下ろした場合には、それに対応してステップ１２上の固定ノズル４５の噴出が中止され、噴出しても入浴者Ｐの足まで届かず、無意味に噴出することが防止され、また、入浴者Ｐにはリンパマッサージが途切れることなく、効率的なリンパマッサージを受けることができる。
【００７８】
図１１は、全身浴時に足を半身浴ステップ１３上に置かない場合のリンパマッサージについて説明するものである。入浴者Ｐがこの姿勢にあることの検出方法は第１の実施形態の場合と同じであり、説明を省略する。
【００７９】
まずステップ上の固定ノズル４５ａ９〜４５ａ１１は噴出せずに、浴槽底部の半身浴ステップ１３側の固定ノズル４５ａ８から噴出が開始され、それが終わる直前に、次の固定ノズル４５ａ７が噴出を開始する。そうして、半身浴ステップ１３側から反対側の端部に向かって順番に噴出される。
【００８０】
この半身浴ステップ１３側の固定ノズル４５ａ８から反対側端部の固定ノズル４５ａ１に至る一連の噴出を１サイクルとして、約７５秒継続させ、最大１５分、１０サイクル程度を行い、マッサージは終了する。
【００８１】
ここで、各サイクルの開始時に毎回水位センサと荷重センサを読み込んで、足位置を検知することにより、入浴者Ｐが姿勢を変えた場合においても、適切なリンパマッサージをすることができる。
【００８２】
ここで、制御部３３は、各サイクルの開始時に毎回水位センサ４２と荷重センサ４３，４４との検知結果を読み込んで、臀部の位置、足の位置を検知する。これにより、例えば入浴者Ｐがマッサージの途中に、足を半身浴ステップ１３上に置いた場合には、それに対応して半身浴ステップ１２上の固定ノズル４５の噴出もサイクルに追加され、適切なリンパマッサージをすることができる。
【００８３】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【図面の簡単な説明】
【００８４】
【図１】本発明に係る浴槽装置の第１の実施形態の長手方向縦断面を模式的に示す図。
【図２】本実施形態に係る浴槽装置の平面を模式的に示す図。
【図３】本実施形態に係る浴槽装置において入浴者が半身浴を行う場合を示す図。
【図４】本実施形態に係る浴槽装置において入浴者がステップ上に足を置いて全身浴を行う場合を示す図。
【図５】本実施形態に係る浴槽装置において入浴者がステップ上に足を置かずに全身浴を行う場合を示す図。
【図６】本実施形態に係る浴槽装置において手動でリンパマッサージの設定を行うタッチパネルの一例を示す図。
【図７】本発明に係る浴槽装置の第２の実施形態の長手方向縦断面を模式的に示す図。
【図８】本実施形態に係る浴槽装置の平面を模式的に示す図。
【図９】本実施形態に係る浴槽装置において入浴者が半身浴を行う場合を示す図。
【図１０】本実施形態に係る浴槽装置において入浴者がステップ上に足を置いて全身浴を行う場合を示す図。
【図１１】本実施形態に係る浴槽装置において入浴者がステップ上に足を置かずに全身浴を行う場合を示す図。
【符号の説明】
【００８５】
１，１Ａ  浴槽装置
２  タッチパネル
１０  浴槽
１１  リム
１２  底面
１３  半身浴ステップ
１４  側面
２１  ステップノズル
２２  底面中央ノズル
２３  底面端部ノズル
２４  吸い込み口
２５  水流管
２６  循環ポンプ
２７，２８，２９  分岐水流管
３０，３１，３２，３９，４０，４１  電磁弁
３３  制御部
３４  エアポンプ
３５  空気管
３６，３７，３８  分岐空気管
４２  水位センサ
４３，４４  荷重センサ
４５  固定ノズル
５０，５１，５２  信号線
Ｐ  入浴者
【図１】
2007209487.tif 000003
【図２】
2007209487.tif 000004
【図３】
2007209487.tif 000005
【図４】
2007209487.tif 000006
【図５】
2007209487.tif 000007
【図６】
2007209487.tif 000008
【図７】
2007209487.tif 000009
【図８】
2007209487.tif 000010
【図９】
2007209487.tif 000011
【図１０】
2007209487.tif 000012
【図１１】
2007209487.tif 000013